(57)【要約】      （修正有）【課題】戸籍届書の保管用写しを損傷させずにきれいに保管でき、家族生活の歴史を追って記録でき、しかも自由なレイアウトで写真を貼れる家族生活記録帳を提供する。【解決手段】記録ページ１と、アルバムページ２と、届書保管ページ３とを備えおもて表紙４と、届書保管ページ３を兼ねたうら表紙のあいだに、記録ページ１が複数およびそのあとにアルバムページ２が複数、綴じこまれて構成されている。記録ページ１は、家族生活を記録するものであり、メッセージの記録欄と、関連するプリント物の貼付欄とが、見開きの状態で見えるように配置されたものである。アルバムページ２は、家族生活を撮影した写真を貼付するものであり、写真をレイアウトする粘着剤付きの台紙と、上記写真がレイアウトされた台紙の表面を覆う透明フィルムを有する。届書保管ページ３は、戸籍届書の保管用写しを収容するためのポケット３１を有する。戸籍届書は、出生届または婚姻届である。【選択図】図１
0003215090.tif 000002
【実用新案登録請求の範囲】
【請求項１】
家族生活を記録するための記録ページと、
家族生活を撮影した写真を自由にレイアウトしうるアルバムページと、
戸籍届書の保管用写しを収容するためのポケットを有する届書保管ページとを備えた
ことを特徴とする家族生活記録帳。
【請求項２】
上記記録ページは、メッセージの記録欄と、関連するプリント物の貼付欄とを有するものである
請求項１記載の家族生活記録帳。
【請求項３】
上記アルバムページは、
写真をレイアウトする粘着剤付きの台紙と、上記写真がレイアウトされた台紙の表面を覆う透明フィルムを有するものである
請求項１または２記載の家族生活記録帳。
【請求項４】
上記戸籍届書は、出生届または婚姻届である
請求項１〜３のいずれか一項の記載の家族生活記録帳。
【考案の詳細な説明】
【技術分野】
【０００１】
本考案は、家族生活記録帳に関するものである。
【背景技術】
【０００２】
従来から、子供の誕生や結婚式などの家族生活を、写真に記録することが行われている。最近はスマートフォンが普及し、家族写真もスマートフォンで撮影し記録されることがほとんどになっている。撮影された写真は、そのままスマートフォンに記録され、特段に整理されないことが非常に多い。写真を閲覧するときは、端末に表示した写真一覧のスクロールを繰り返して探しまわることになる。
【０００３】
一方、子供が誕生したときの出生届や、結婚したときの婚姻届けを、写真とともに保存しうる冊子や記録帳が、いくつか提案されている。このような冊子や記録帳に関する先行技術文献として、出願人は下記の特許文献１および２を把握している。
【先行技術文献】
【特許文献】
【０００４】
【特許文献１】実用新案登録第３２１１５１７号公報
【特許文献２】実用新案登録第３１２８４２９号公報
【０００５】
〔特許文献１〕
上記特許文献１には、つぎの記載がある。
［要約］
［課題］戸籍届書の保管用の写しを残しておくことができ、かつ自治体の費用負担を削減できる戸籍届用冊子を提供する。
［解決手段］見本用紙１１、戸籍届書１２、及びこの戸籍届書１２へ記入した事項の一部又は全部が表面に複写される保管用紙１３をこの順に且つそれぞれ分離可能に備え、戸籍届書１２が、婚姻届書又は出生届書であり、保管用紙１３の裏面に広告欄が設けられている複写式戸籍届用冊子１０である。当該複写式戸籍届用冊子１０においては、保管用紙１３の裏面が外側となるように二つ折りされており、保管用紙１３の広告欄が裏表紙側に位置している。
［００１５］
図２に示すように、保管用紙１３の表面には、戸籍届書１２への記載事項が複写される複写欄１３ａ、１３ｂ、写真を貼ることができる写真欄１３ｃ、及びメッセージ等を記載できるメッセージ欄１３ｄ、１３ｅが設けられている。その他、保管用紙１３の表面には、婚姻届書を提出した日付などを記載する箇所が設けられていてもよい。なお、保管用紙１３の表面とは、図１のように見開いた状態で上側になる面をいい、戸籍届書１２と接触する側の面である。
［００１８］
図３に示すように、保管用紙１３の裏面には、左側半分に広告欄１３ｆ、１３ｇ、１３ｈ、１３ｉが設けられている。この保管用紙１３の裏面における左側半分は、二つ折りしたときに裏表紙となる領域である。広告欄１３ｆ〜１３ｉには、企業等の広告が掲載されている。婚姻届書である場合の想定される広告としては、例えば旅行代理店、結婚式場、住宅メーカー、産婦人科医院等の病院などの広告が挙げられるが特に限定されるものではない。
【０００６】
〔特許文献２〕
上記特許文献２には、つぎの記載がある。
［要約］
［課題］子供の成長記録を、世話になった人と共に整理して保存することができるようにした成長記録帳を提供する。
［解決手段］成長記録帳１は、表紙１１及び裏表紙１２と、表紙１１及び裏表紙１２との間に綴じられた複数枚の記録用紙１３とからなる。記録用紙１３には、本の題名や遊園地の名前等、事象名を記す記録欄２３と、その事象にかかわってくれた人の名前を記す記録欄２４と、記事や感想の記録欄２５と、シールや、入場券等、その事象の関連物を貼り付ける貼着欄２６と、遊園地の様子や絵本の表紙等、その事象に関する絵を描画する描画欄２７が設けられる。これにより、子供の成長における出来事と、その出来事に関連して世話になった人とを、整理して、子供の成長記録として保存できると共に、シールや入場券等、その事象の関連物を整理して残しておける。
［請求項１］
表紙と、裏表紙と、前記表紙と前記裏表紙との間に綴られた複数の記録用紙とを有し、
前記記録用紙は、子供の成長に関する事象名の記録欄と、前記事象に係わった人の名前の記録欄と、前記事象の関連物を貼り付ける貼着欄とを設けた
ことを特徴とする成長記録帳。
［請求項３］
前記貼着欄に、予め両面テープを貼着し又は接着剤を塗布しておくようにしたことを特徴とする請求項１に記載の成長記録帳。
【考案の概要】
【考案が解決しようとする課題】
【０００７】
上記特許文献１は、保管用紙１３自体に写真欄１３ｃやメッセージ欄１３ｄ、１３ｅが設けられている。このため、貼れる写真の数やメッセージの量に制限がある。たくさん写真を貼りたくてもできないし、メッセージをたくさん書こうと思ってもできない。さらに、写真欄１３ｃやメッセージ欄１３ｄ、１３ｅはレイアウトが決まっており、自由なレイアウトができない。
また、戸籍届書の写しには代わりがないため、できるだけ損傷させずにきれいに保管したいものである。ところが、上記特許文献１では、写真を貼るときのテープや糊、あるいはメッセージを書き込むときの筆圧などで、保管用紙１３自体に少なからず損傷を与えてしまう。
しかも、記念に残したい保管用紙１３に、企業の広告が入るのは、興ざめにも極まりがない。
【０００８】
上記特許文献２は、写真欄がなく、写真が貼れないし、貼れたとしてもその数・レイアウトに制限がある。
また、上記特許文献２は、戸籍届書の保管を容易にすることができない。仮に戸籍届書を保管しようとすると、両面テープか接着剤で貼着欄に貼り付けることになる。そのとき、戸籍届書はサイズが大きいので、折りたたまなければならない。そうすると、折りたたみや両面テープ・接着剤で、戸籍届書には少なからず損傷を与えてしまう。このように、代わりがない戸籍届書の写しを、損傷させずにきれいに保管することができない。
【０００９】
本考案は、上記課題を解決するため、つぎの目的をもってなされた。
戸籍届書の保管用写しを損傷させずにきれいに保管でき、家族生活の歴史を追って記録でき、しかも自由なレイアウトで写真を貼れる家族生活記録帳を提供する。
【課題を解決するための手段】
【００１０】
上記の目的を達成するため、請求項１記載の家族生活記録帳は、つぎの構成を採用した。
家族生活を記録するための記録ページと、
家族生活を撮影した写真を自由にレイアウトしうるアルバムページと、
戸籍届書の保管用写しを収容するためのポケットを有する届書保管ページとを備えた。
【００１１】
請求項２記載の家族生活記録帳は、請求項１記載の構成に加え、つぎの構成を採用した。
上記記録ページは、メッセージの記録欄と、関連するプリント物の貼付欄とを有するものである。
【００１２】
請求項３記載の家族生活記録帳は、請求項１または２記載の構成に加え、つぎの構成を採用した。
上記アルバムページは、
写真をレイアウトする粘着剤付きの台紙と、上記写真がレイアウトされた台紙の表面を覆う透明フィルムを有するものである。
【００１３】
請求項４記載の家族生活記録帳は、請求項１〜３のいずれか一項に記載の構成に加え、つぎの構成を採用した。
上記戸籍届書は、出生届または婚姻届である。
【考案の効果】
【００１４】
請求項１記載の家族生活記録帳は、記録ページとアルバムページと届書保管ページとを備えている。
上記記録ページは家族生活を記録する。子供の成長や夫婦の変遷について、たとえば主要なイベントを追って記録できる。
上記アルバムページは、家族生活を撮影した写真を自由にレイアウトできる。子供の成長や夫婦の変遷を、家族ごとに自由な発想でレイアウトできる。
上記届書保管ページは、戸籍届書の保管用写しを収容するためのポケットを有する。上記届書保管ページには、戸籍届書の保管用写しを損傷させずにきれいに保管でき、従来のようにテープや接着剤・筆圧などにより損傷させることがない。
以上のように本考案の家族生活記録帳は、戸籍届書の保管用写しを損傷させずにきれいに保管でき、家族生活の歴史を追って記録でき、しかも自由なレイアウトで写真を貼ることができる。
【００１５】
請求項２記載の家族生活記録帳は、上記記録ページは、メッセージの記録欄と、関連するプリント物の貼付欄とを有する。上記メッセージの記録欄には、たとえばメッセージを手書きで記入することができる。上記プリント物の貼付欄には、上記メッセージに関連するプリント物を貼付する。上記プリント物としては、たとえば、写真，手紙，入場券などをあげることができる。
【００１６】
請求項３記載の家族生活記録帳は、上記アルバムページは、台紙と透明フィルムを有するものである。上記台紙は、写真をレイアウトする粘着剤付きの台紙である。上記透明フィルムは、上記写真がレイアウトされた台紙の表面を覆う。上記アルバムページには、台紙に写真を自由にレイアウトして透明フィルムで覆う。これにより、写真のレイアウトが崩れず、その写真が損傷しない。
【００１７】
請求項４記載の家族生活記録帳は、上記戸籍届書は、出生届または婚姻届である。出生届を保管して子育て記録として利用することができ、婚姻届を保管して家族記録として利用することができる。
【図面の簡単な説明】
【００１８】
【図１】本考案の一実施形態における家族生活記録帳を説明する斜視図である。
【図２】記録ページの第１例を示す図である。
【図３】記録ページの第２例を示す図である。
【図４】アルバムページの一例を示す図である。
【図５】届書保管ページの一例を示す図である。
【図６】戸籍届書と保管用写しの一例を示す図である。
【考案を実施するための形態】
【００１９】
以下、本考案の家族生活記録帳の実施形態について詳細に説明する。
【００２０】
〔全体構造〕
図１は、本考案の一実施形態における家族生活記録帳を示す斜視図である。
【００２１】
この家族生活記録帳は、記録ページ１と、アルバムページ２と、届書保管ページ３とを備えている。
おもて表紙４と届書保管ページ３を兼ねたうら表紙を備えている。上記おもて表紙４とうら表紙のあいだに、複数の記録ページ１および複数のアルバムページ２が綴じこまれて構成されている。
【００２２】
図２は、上記記録ページ１の第１例である。（Ａ）は初期状態、（Ｂ）は使用例である。
図３は、上記記録ページ２の第２例である。（Ａ）は初期状態、（Ｂ）は使用例である。
【００２３】
上記記録ページ１は、家族生活を記録するものであり、メッセージの記録欄１１と、関連するプリント物の貼付欄１２とを有する。
【００２４】
上記記録欄１１は、メッセージをペンや鉛筆で手書きして記入することができる。上記記録欄にメモなどの紙を貼付することができる。図２（Ｂ），図３（Ｂ）で示した使用例では、手書きでメッセージを記入したり、子供の手形を押したり、命名を記入したりしている。
上記貼付欄１２には、メッセージに関連したプリント物を貼付することができる。上記プリント物としては、たとえば、写真，入場券，手紙，メモなどをあげることができる。図２（Ｂ），図３（Ｂ）で示した使用例では、写真を貼付している。
【００２５】
図４は、上記アルバムページ２の一例を示す図である。
上記アルバムページ２は、家族生活を撮影した写真を貼付するものであり、写真をレイアウトする粘着剤付きの台紙２１と、上記写真がレイアウトされた台紙２１の表面を覆う透明フィルム２２を有する。
上記台紙２１の表面には、繰り返し粘着可能な粘着剤が塗布されている。上記台紙２１の表面のほぼ全体（綴じ部２３の近傍まで）が透明フィルム２２で覆われている。
【００２６】
図５は、届書保管ページを示す図である。
上記届書保管ページ３は、戸籍届書３２の保管用写し３３を収容するためのポケット３１を有する。上記届書保管ページ３は、うら表紙を兼ねていて、上記ポケット３１は、うら表紙の内側に設けられている。上記ポケット３１は、うら表紙の内側面の下半分に、透明の樹脂シートを、収容空間となるだけのゆとりをもたせて取り付けることにより形成している。
【００２７】
図６は、上記戸籍届書３２とその保管用写し３３の一例を示す図である。
この例では、上記戸籍届書３２は出生届である。上記戸籍届書３２を婚姻届とすることもできる。上記戸籍届書３２は役所に提出され、本記録帳の利用者の手元には残らない。上記保管用写し３３は、利用者の手元に保管するものであり、オリジナルの装飾柄が印刷されている。
【００２８】
〔作用効果〕
本実施形態の記録帳を、たとえば子育て記録帳として使用すれば、子供の成長の流れに応じて、写真欄やメッセージ欄が用意されているので、整理が苦手でも順番に埋めていくだけで、子供の成長の記録を残すことができる。ボックス入りとすれば、母子手帳を一緒に保管することもできる。成人式まで記入したら世界に一つの「子育てＤｉａｒｙ  ｇｉｆｔ」が完成し、成人式のお祝いとして我が子にプレゼントできる。子育ての記録として、手元に保管し思い出にしてもよい。
【００２９】
上記実施形態の家族生活記録帳は、記録ページ１とアルバムページ２と届書保管ページ３とを備えている。
上記記録ページ１は家族生活を記録する。子供の成長や夫婦の変遷について、たとえば主要なイベントを追って記録できる。
上記アルバムページ２は、家族生活を撮影した写真を自由にレイアウトできる。子供の成長や夫婦の変遷を、家族ごとに自由な発想でレイアウトできる。
上記届書保管ページ３は、戸籍届書３２の保管用写し３３を収容するためのポケット３１を有する。上記届書保管ページ３には、戸籍届書３２の保管用写し３３を損傷させずにきれいに保管でき、従来のようにテープや接着剤・筆圧などにより損傷させることがない。
以上のように本実施形態の家族生活記録帳は、戸籍届書３２の保管用写し３３を損傷させずにきれいに保管でき、家族生活の歴史を追って記録でき、しかも自由なレイアウトで写真を貼ることができる。
【００３０】
上記実施形態の家族生活記録帳は、上記記録ページ１は、メッセージの記録欄１１と、関連するプリント物の貼付欄１２とを有する。上記メッセージの記録欄１１には、たとえばメッセージを手書きで記入することができる。上記プリント物の貼付欄１２には、上記メッセージに関連するプリント物を貼付する。上記プリント物としては、たとえば、写真，手紙，入場券などをあげることができる。
【００３１】
上記実施形態の家族生活記録帳は、上記アルバムページ２は、台紙２１と透明フィルム２２を有するものである。上記台紙２１は、写真をレイアウトする粘着剤付きの台紙２１である。上記透明フィルム２２は、上記写真がレイアウトされた台紙２１の表面を覆う。上記アルバムページ２には、台紙２１に写真を自由にレイアウトして透明フィルム２２で覆う。これにより、写真のレイアウトが崩れず、その写真が損傷しない。
【００３２】
上記実施形態の家族生活記録帳は、上記戸籍届書３２は、出生届または婚姻届である。出生届を保管して子育て記録として利用することができ、婚姻届を保管して家族記録として利用することができる。
【００３３】
〔変形例〕
以上は本考案の特に好ましい実施形態について説明したが、本考案は図示の実施形態に限定する趣旨ではない。本考案は、上述した以外の各種の態様に変形して実施することができ、上述した以外の各種の変形例を包含する趣旨である。
【符号の説明】
【００３４】
１：記録ページ
２：アルバムページ
３：届書保管ページ
４：おもて表紙
１１：記録欄
１２：貼付欄
２１：台紙
２２：透明フィルム
２３：綴じ部
３１：ポケット
３２：戸籍届書
３３：保管用写し
【図１】
0003215090.tif 000003
【図２】
0003215090.tif 000004
【図３】
0003215090.tif 000005
【図４】
0003215090.tif 000006
【図５】
0003215090.tif 000007
【図６】
0003215090.tif 000008
【手続補正書】
【提出日】平成29年12月21日(2017.12.21)
【手続補正１】
【補正対象書類名】実用新案登録請求の範囲
【補正対象項目名】全文
【補正方法】変更
【補正の内容】
【実用新案登録請求の範囲】
【請求項１】
家族生活を記録するための記録ページと、
家族生活を撮影した写真を自由にレイアウトしうるアルバムページと、
戸籍届書の保管用写しを収容するためのポケットを有する届書保管ページとを備え、
おもて表紙と、上記届書保管ページを兼ねたうら表紙のあいだに、上記記録ページが複数およびそのあとに上記アルバムページが複数、綴じこまれて構成されている
ことを特徴とする家族生活記録帳。
【請求項２】
上記記録ページは、メッセージの記録欄と、関連するプリント物の貼付欄が、見開きの状態で見えるように配置されたものである
請求項１記載の家族生活記録帳。
【請求項３】
上記アルバムページは、
写真をレイアウトする粘着剤付きの台紙と、上記写真がレイアウトされた台紙の表面を覆う透明フィルムを有するものである
請求項１または２記載の家族生活記録帳。
【請求項４】
上記戸籍届書は、出生届または婚姻届である
請求項１〜３のいずれか一項に記載の家族生活記録帳。
【手続補正２】
【補正対象書類名】明細書
【補正対象項目名】全文
【補正方法】変更
【補正の内容】
【考案の詳細な説明】
【技術分野】
【０００１】
本考案は、家族生活記録帳に関するものである。
【背景技術】
【０００２】
従来から、子供の誕生や結婚式などの家族生活を、写真に記録することが行われている。最近はスマートフォンが普及し、家族写真もスマートフォンで撮影し記録されることがほとんどになっている。撮影された写真は、そのままスマートフォンに記録され、特段に整理されないことが非常に多い。写真を閲覧するときは、端末に表示した写真一覧のスクロールを繰り返して探しまわることになる。
【０００３】
一方、子供が誕生したときの出生届や、結婚したときの婚姻届けを、写真とともに保存しうる冊子や記録帳が、いくつか提案されている。このような冊子や記録帳に関する先行技術文献として、出願人は下記の特許文献１および２を把握している。
【先行技術文献】
【特許文献】
【０００４】
【特許文献１】実用新案登録第３２１１５１７号公報
【特許文献２】実用新案登録第３１２８４２９号公報
【０００５】
〔特許文献１〕
上記特許文献１には、つぎの記載がある。
［要約］
［課題］戸籍届書の保管用の写しを残しておくことができ、かつ自治体の費用負担を削減できる戸籍届用冊子を提供する。
［解決手段］見本用紙１１、戸籍届書１２、及びこの戸籍届書１２へ記入した事項の一部又は全部が表面に複写される保管用紙１３をこの順に且つそれぞれ分離可能に備え、戸籍届書１２が、婚姻届書又は出生届書であり、保管用紙１３の裏面に広告欄が設けられている複写式戸籍届用冊子１０である。当該複写式戸籍届用冊子１０においては、保管用紙１３の裏面が外側となるように二つ折りされており、保管用紙１３の広告欄が裏表紙側に位置している。
［００１５］
図２に示すように、保管用紙１３の表面には、戸籍届書１２への記載事項が複写される複写欄１３ａ、１３ｂ、写真を貼ることができる写真欄１３ｃ、及びメッセージ等を記載できるメッセージ欄１３ｄ、１３ｅが設けられている。その他、保管用紙１３の表面には、婚姻届書を提出した日付などを記載する箇所が設けられていてもよい。なお、保管用紙１３の表面とは、図１のように見開いた状態で上側になる面をいい、戸籍届書１２と接触する側の面である。
［００１８］
図３に示すように、保管用紙１３の裏面には、左側半分に広告欄１３ｆ、１３ｇ、１３ｈ、１３ｉが設けられている。この保管用紙１３の裏面における左側半分は、二つ折りしたときに裏表紙となる領域である。広告欄１３ｆ〜１３ｉには、企業等の広告が掲載されている。婚姻届書である場合の想定される広告としては、例えば旅行代理店、結婚式場、住宅メーカー、産婦人科医院等の病院などの広告が挙げられるが特に限定されるものではない。
【０００６】
〔特許文献２〕
上記特許文献２には、つぎの記載がある。
［要約］
［課題］子供の成長記録を、世話になった人と共に整理して保存することができるようにした成長記録帳を提供する。
［解決手段］成長記録帳１は、表紙１１及び裏表紙１２と、表紙１１及び裏表紙１２との間に綴じられた複数枚の記録用紙１３とからなる。記録用紙１３には、本の題名や遊園地の名前等、事象名を記す記録欄２３と、その事象にかかわってくれた人の名前を記す記録欄２４と、記事や感想の記録欄２５と、シールや、入場券等、その事象の関連物を貼り付ける貼着欄２６と、遊園地の様子や絵本の表紙等、その事象に関する絵を描画する描画欄２７が設けられる。これにより、子供の成長における出来事と、その出来事に関連して世話になった人とを、整理して、子供の成長記録として保存できると共に、シールや入場券等、その事象の関連物を整理して残しておける。
［請求項１］
表紙と、裏表紙と、前記表紙と前記裏表紙との間に綴られた複数の記録用紙とを有し、
前記記録用紙は、子供の成長に関する事象名の記録欄と、前記事象に係わった人の名前の記録欄と、前記事象の関連物を貼り付ける貼着欄とを設けた
ことを特徴とする成長記録帳。
［請求項３］
前記貼着欄に、予め両面テープを貼着し又は接着剤を塗布しておくようにしたことを特徴とする請求項１に記載の成長記録帳。
【考案の概要】
【考案が解決しようとする課題】
【０００７】
上記特許文献１は、保管用紙１３自体に写真欄１３ｃやメッセージ欄１３ｄ、１３ｅが設けられている。このため、貼れる写真の数やメッセージの量に制限がある。たくさん写真を貼りたくてもできないし、メッセージをたくさん書こうと思ってもできない。さらに、写真欄１３ｃやメッセージ欄１３ｄ、１３ｅはレイアウトが決まっており、自由なレイアウトができない。
また、戸籍届書の写しには代わりがないため、できるだけ損傷させずにきれいに保管したいものである。ところが、上記特許文献１では、写真を貼るときのテープや糊、あるいはメッセージを書き込むときの筆圧などで、保管用紙１３自体に少なからず損傷を与えてしまう。
しかも、記念に残したい保管用紙１３に、企業の広告が入るのは、興ざめにも極まりがない。
【０００８】
上記特許文献２は、写真欄がなく、写真が貼れないし、貼れたとしてもその数・レイアウトに制限がある。
また、上記特許文献２は、戸籍届書の保管を容易にすることができない。仮に戸籍届書を保管しようとすると、両面テープか接着剤で貼着欄に貼り付けることになる。そのとき、戸籍届書はサイズが大きいので、折りたたまなければならない。そうすると、折りたたみや両面テープ・接着剤で、戸籍届書には少なからず損傷を与えてしまう。このように、代わりがない戸籍届書の写しを、損傷させずにきれいに保管することができない。
【０００９】
本考案は、上記課題を解決するため、つぎの目的をもってなされた。
戸籍届書の保管用写しを損傷させずにきれいに保管でき、家族生活の歴史を追って記録でき、しかも自由なレイアウトで写真を貼れる家族生活記録帳を提供する。
【課題を解決するための手段】
【００１０】
上記の目的を達成するため、請求項１記載の家族生活記録帳は、つぎの構成を採用した。
家族生活を記録するための記録ページと、
家族生活を撮影した写真を自由にレイアウトしうるアルバムページと、
戸籍届書の保管用写しを収容するためのポケットを有する届書保管ページとを備え、
おもて表紙と、上記届書保管ページを兼ねたうら表紙のあいだに、上記記録ページが複数およびそのあとに上記アルバムページが複数、綴じこまれて構成されている。
【００１１】
請求項２記載の家族生活記録帳は、請求項１記載の構成に加え、つぎの構成を採用した。
上記記録ページは、メッセージの記録欄と、関連するプリント物の貼付欄が、見開きの状態で見えるように配置されたものである。
【００１２】
請求項３記載の家族生活記録帳は、請求項１または２記載の構成に加え、つぎの構成を採用した。
上記アルバムページは、
写真をレイアウトする粘着剤付きの台紙と、上記写真がレイアウトされた台紙の表面を覆う透明フィルムを有するものである。
【００１３】
請求項４記載の家族生活記録帳は、請求項１〜３のいずれか一項に記載の構成に加え、つぎの構成を採用した。
上記戸籍届書は、出生届または婚姻届である。
【考案の効果】
【００１４】
請求項１記載の家族生活記録帳は、記録ページとアルバムページと届書保管ページとを備えている。
上記記録ページは家族生活を記録する。子供の成長や夫婦の変遷について、たとえば主要なイベントを追って記録できる。
上記アルバムページは、家族生活を撮影した写真を自由にレイアウトできる。子供の成長や夫婦の変遷を、家族ごとに自由な発想でレイアウトできる。
上記届書保管ページは、戸籍届書の保管用写しを収容するためのポケットを有する。上記届書保管ページには、戸籍届書の保管用写しを損傷させずにきれいに保管でき、従来のようにテープや接着剤・筆圧などにより損傷させることがない。
以上のように本考案の家族生活記録帳は、戸籍届書の保管用写しを損傷させずにきれいに保管でき、家族生活の歴史を追って記録でき、しかも自由なレイアウトで写真を貼ることができる。
【００１５】
請求項２記載の家族生活記録帳は、上記記録ページは、メッセージの記録欄と、関連するプリント物の貼付欄とを有する。上記メッセージの記録欄には、たとえばメッセージを手書きで記入することができる。上記プリント物の貼付欄には、上記メッセージに関連するプリント物を貼付する。上記プリント物としては、たとえば、写真，手紙，入場券などをあげることができる。
【００１６】
請求項３記載の家族生活記録帳は、上記アルバムページは、台紙と透明フィルムを有するものである。上記台紙は、写真をレイアウトする粘着剤付きの台紙である。上記透明フィルムは、上記写真がレイアウトされた台紙の表面を覆う。上記アルバムページには、台紙に写真を自由にレイアウトして透明フィルムで覆う。これにより、写真のレイアウトが崩れず、その写真が損傷しない。
【００１７】
請求項４記載の家族生活記録帳は、上記戸籍届書は、出生届または婚姻届である。出生届を保管して子育て記録として利用することができ、婚姻届を保管して家族記録として利用することができる。
【図面の簡単な説明】
【００１８】
【図１】本考案の一実施形態における家族生活記録帳を説明する斜視図である。
【図２】記録ページの第１例を示す図である。
【図３】記録ページの第２例を示す図である。
【図４】アルバムページの一例を示す図である。
【図５】届書保管ページの一例を示す図である。
【図６】戸籍届書と保管用写しの一例を示す図である。
【考案を実施するための形態】
【００１９】
以下、本考案の家族生活記録帳の実施形態について詳細に説明する。
【００２０】
〔全体構造〕
図１は、本考案の一実施形態における家族生活記録帳を示す斜視図である。
【００２１】
この家族生活記録帳は、記録ページ１と、アルバムページ２と、届書保管ページ３とを備えている。
おもて表紙４と届書保管ページ３を兼ねたうら表紙を備えている。上記おもて表紙４とうら表紙のあいだに、複数の記録ページ１および複数のアルバムページ２が綴じこまれて構成されている。
【００２２】
図２は、上記記録ページ１の第１例である。（Ａ）は初期状態、（Ｂ）は使用例である。
図３は、上記記録ページ２の第２例である。（Ａ）は初期状態、（Ｂ）は使用例である。
【００２３】
上記記録ページ１は、家族生活を記録するものであり、メッセージの記録欄１１と、関連するプリント物の貼付欄１２とを有する。
【００２４】
上記記録欄１１は、メッセージをペンや鉛筆で手書きして記入することができる。上記記録欄にメモなどの紙を貼付することができる。図２（Ｂ），図３（Ｂ）で示した使用例では、手書きでメッセージを記入したり、子供の手形を押したり、命名を記入したりしている。
上記貼付欄１２には、メッセージに関連したプリント物を貼付することができる。上記プリント物としては、たとえば、写真，入場券，手紙，メモなどをあげることができる。図２（Ｂ），図３（Ｂ）で示した使用例では、写真を貼付している。
【００２５】
図４は、上記アルバムページ２の一例を示す図である。
上記アルバムページ２は、家族生活を撮影した写真を貼付するものであり、写真をレイアウトする粘着剤付きの台紙２１と、上記写真がレイアウトされた台紙２１の表面を覆う透明フィルム２２を有する。
上記台紙２１の表面には、繰り返し粘着可能な粘着剤が塗布されている。上記台紙２１の表面のほぼ全体（綴じ部２３の近傍まで）が透明フィルム２２で覆われている。
【００２６】
図５は、届書保管ページを示す図である。
上記届書保管ページ３は、戸籍届書３２の保管用写し３３を収容するためのポケット３１を有する。上記届書保管ページ３は、うら表紙を兼ねていて、上記ポケット３１は、うら表紙の内側に設けられている。上記ポケット３１は、うら表紙の内側面の下半分に、透明の樹脂シートを、収容空間となるだけのゆとりをもたせて取り付けることにより形成している。
【００２７】
図６は、上記戸籍届書３２とその保管用写し３３の一例を示す図である。
この例では、上記戸籍届書３２は出生届である。上記戸籍届書３２を婚姻届とすることもできる。上記戸籍届書３２は役所に提出され、本記録帳の利用者の手元には残らない。上記保管用写し３３は、利用者の手元に保管するものであり、オリジナルの装飾柄が印刷されている。
【００２８】
〔作用効果〕
本実施形態の記録帳を、たとえば子育て記録帳として使用すれば、子供の成長の流れに応じて、写真欄やメッセージ欄が用意されているので、整理が苦手でも順番に埋めていくだけで、子供の成長の記録を残すことができる。ボックス入りとすれば、母子手帳を一緒に保管することもできる。成人式まで記入したら世界に一つの「子育てＤｉａｒｙ  ｇｉｆｔ」が完成し、成人式のお祝いとして我が子にプレゼントできる。子育ての記録として、手元に保管し思い出にしてもよい。
【００２９】
上記実施形態の家族生活記録帳は、記録ページ１とアルバムページ２と届書保管ページ３とを備えている。
上記記録ページ１は家族生活を記録する。子供の成長や夫婦の変遷について、たとえば主要なイベントを追って記録できる。
上記アルバムページ２は、家族生活を撮影した写真を自由にレイアウトできる。子供の成長や夫婦の変遷を、家族ごとに自由な発想でレイアウトできる。
上記届書保管ページ３は、戸籍届書３２の保管用写し３３を収容するためのポケット３１を有する。上記届書保管ページ３には、戸籍届書３２の保管用写し３３を損傷させずにきれいに保管でき、従来のようにテープや接着剤・筆圧などにより損傷させることがない。
以上のように本実施形態の家族生活記録帳は、戸籍届書３２の保管用写し３３を損傷させずにきれいに保管でき、家族生活の歴史を追って記録でき、しかも自由なレイアウトで写真を貼ることができる。
【００３０】
上記実施形態の家族生活記録帳は、上記記録ページ１は、メッセージの記録欄１１と、関連するプリント物の貼付欄１２とを有する。上記メッセージの記録欄１１には、たとえばメッセージを手書きで記入することができる。上記プリント物の貼付欄１２には、上記メッセージに関連するプリント物を貼付する。上記プリント物としては、たとえば、写真，手紙，入場券などをあげることができる。
【００３１】
上記実施形態の家族生活記録帳は、上記アルバムページ２は、台紙２１と透明フィルム２２を有するものである。上記台紙２１は、写真をレイアウトする粘着剤付きの台紙２１である。上記透明フィルム２２は、上記写真がレイアウトされた台紙２１の表面を覆う。上記アルバムページ２には、台紙２１に写真を自由にレイアウトして透明フィルム２２で覆う。これにより、写真のレイアウトが崩れず、その写真が損傷しない。
【００３２】
上記実施形態の家族生活記録帳は、上記戸籍届書３２は、出生届または婚姻届である。出生届を保管して子育て記録として利用することができ、婚姻届を保管して家族記録として利用することができる。
【００３３】
〔変形例〕
以上は本考案の特に好ましい実施形態について説明したが、本考案は図示の実施形態に限定する趣旨ではない。本考案は、上述した以外の各種の態様に変形して実施することができ、上述した以外の各種の変形例を包含する趣旨である。
【符号の説明】
【００３４】
１：記録ページ
２：アルバムページ
３：届書保管ページ
４：おもて表紙
１１：記録欄
１２：貼付欄
２１：台紙
２２：透明フィルム
２３：綴じ部
３１：ポケット
３２：戸籍届書
３３：保管用写し